(57)【要約】【課題】本発明は、室内熱交換器の支持構造を小型簡素化して前面パネルに対する設計自由度の向上化を図り、後本体に対する剛性向上化を得られる空気調和機の室内ユニットを提供しようとするものである。【解決手段】ユニット本体１は前面パネル２と後本体３を組合せてなり、室内熱交換器１０は略逆Ｖ字状の主熱交換器１００Ａと補助熱交換器１００Ｂとで構成し、送風機１４は横流ファン１４Ｆとファンモータ１４Ｍとで構成し、後本体は背面を構成する後板部３ａと、補助配管Ｈを挿通するための切欠き部１９を備え、後板部に取付け固定される取付け部３８と主熱交換器に対して補助熱交換器を抱持固定する抱持部３９を有する熱交換器固定部材３５と、後本体のファンモータ上面で切欠き部左右近傍部に固定金具を介して取付け固定される取付け部３２を有し、補助配管やＵベンド等から滴下するドレン水を受ける受け部３４を有しファンモータをカバーするためのファンモータカバー３４を有する。【選択図】      図１
2005188831.tif 000002
【特許請求の範囲】
【請求項１】
吸込み口および吹出し口を備え前面パネルと後本体とを組合せてなるユニット本体と、
このユニット本体内の後本体に配置され、ユニット本体の前面側に位置する前側熱交換器部と背面側に位置する後側熱交換器部とで側面視で略逆Ｖ字状に形成される主熱交換器および、この主熱交換器表面の一部に沿って設けられる補助熱交換器から構成される室内熱交換器と、この室内熱交換器における前側熱交換器部と後側熱交換器部との間に覆われるよう配置され、上記吸込み口から室内空気を吸込んで室内熱交換器に流通させ上記吹出し口から送風する横流ファンおよび上記室内熱交換器の一端側側部に配置され上記横流ファンを回転駆動するファンモータとを具備する空気調和機の室内ユニットにおいて、
上記後本体の背面を構成する後板部と、この後板部の上記ファンモータ配置部分に上端縁から下方へ開口し、上記室内熱交換器から室外ユニット側へ延出する補助配管を挿通するための切欠き部と、上記後本体後板部に取付け具を介して取付け固定される取付け部および上記室内熱交換器を構成する主熱交換器に対して補助熱交換器を抱持固定する抱持部を有する熱交換器固定部材と、上記後本体における上記ファンモータ上面に設置され、左右の後部に上記後板の切欠き部左右近傍部に固定部材を介して取付け固定される取付け部を有し、上面が室内熱交換器の側部に突出するＵベンドや上記補助配管等を配設し、かつこれらＵベンド等から滴下するドレン水を受ける受け部を有する上記ファンモータをカバーするためのファンモータカバーとを具備することを特徴とする空気調和機の室内ユニット。
【請求項２】
上記室内熱交換器の主熱交換器を構成する前側熱交換器部と後側熱交換器部との互いの連結部分に沿うように屈曲形成され、これら前後側熱交換器部の端板に取付け固定される熱交換器取付け部を備えるとともに、上記ファンモータカバーと主熱交換器との間に形成される隙間を覆う隙間カバー部を有するカバー部材を具備することを特徴とする請求項１記載の空気調和機の室内ユニット。
【発明の詳細な説明】
【技術分野】
【０００１】
本発明は、ユニット本体に対する室内熱交換器および送風機との取付け構造を改良した空気調和機の室内ユニットに関する。
【背景技術】
【０００２】
室内ユニットと室外ユニットとから構成される空気調和機が多用されている。室内ユニットにおいては、吸込み口および吹出し口を備え前面パネルと後本体とを組合せてなるユニット本体が構成される。このユニット本体内に熱交換器と送風機とが対向して配置される。  
上記熱交換器として、近時、［特許文献１］に示されるように、略逆Ｖ字状に形成される熱交換器が多用される傾向にある。これは、側面視が湾曲成された前側熱交換器部と、直状で斜めに傾斜する後側熱交換器部との組合せからなる。この種の熱交換器であれば、単なる平板状の熱交換器と比較して熱交換面積が飛躍的に増大し、かつ多段に折り曲げた熱交換器よりも成型加工が簡単ですむ。
【０００３】
そして、室内熱交換器は前側熱交換器部と後側熱交換器部で主熱交換器を構成し、さらに第１の補助熱交換器部と第２の補助熱交換器部とからなる補助熱交換器を備えている。この補助熱交換器は主熱交換器を略逆Ｖ字状に形成することによって生じるデッドスペースを利用して備えられ、ユニット本体の容量をそのまま維持して据付けスペースに影響を及ぼさずに熱交換器の熱交換容量を増加させ、熱交換能力の増大が得られる。  
上記送風機は、主熱交換器に正対して配置される横流ファンと、この横流ファンを回転駆動するファンモータとで構成され、前側熱交換器部と後側熱交換器部との間に配置される。すなわち、前後側熱交換器部で送風機を傘状に覆うことにより、ユニット本体内のスペースを有効に使え、本体をより小形化できる。
【特許文献１】特開２００３−７４８９０号公報
【発明の開示】
【発明が解決しようとする課題】
【０００４】
ここで新たな問題の一つとして、室内熱交換器を構成する主熱交換器と補助熱交換器のユニット本体に対する取付け固定構造がある。上述の［特許文献１］では、室内熱交換器の両側部を抑え固定金具を用いて固定している。この抑え固定金具は、前後側熱交換器部の上端を間にして、第１補助熱交換器部の一部上面と第２の補助熱交換器部上面を抑える抑え部と、この抑え部の両端に形成される取付け部とからなる金属板体である。  
上述の抑え金具は、室内熱交換器全体の外側を覆うように折曲形成されていて、大型化した部品とならざるを得ない。そのため、この抑え金具を覆う部材である前面パネルがさらに手前側に突出して圧迫感を増してしまい、前面パネルの設計自由度が規制されるという不具合がある。
【０００５】
また、特に冷房運転時には室内熱交換器の熱交換作用にともなって空気中の水分を凝縮し、その凝縮された水分であるドレンが室内熱交換器に付着する。時間の経過とともに肥大化してやがては滴下するドレン水となる。そこで、前側熱交換器部と後側熱交換器部のそれぞれ下部にドレンパンが配置され、ドレン水を受ける。  
しかしながら、前後側熱交換器部は多数枚のフィンが狭小の間隙を存して並設され、これらフィンの左右両側端に設けられる端板から熱交換パイプの蛇行状曲成部であるＵベンドが突出する構成である。そして、前後側熱交換器部の側端部には、互いの熱交換器部を連通するジャンピングパイプや室外ユニットへ延出する補助配管が位置する。
【０００６】
当然、これらＵベンド、ジャンピングパイプおよび補助配管にも冷媒が導通するので、熱交換作用にともなってドレン水が付着して滴下することがある。室内ユニットの構成上、室内熱交換器側端部の下方部位には、送風機を構成するファンモータが配置されていて、そのままでは滴下するドレン水でファンモータが濡れてしまう。  
上述の［特許文献１］では、特にファンモータをドレン水から守ることの構成の記載はないが、通常、上記ファンモータが滴下するドレン水で濡れないようにファンモータカバーが取付けられていて、電気事故が発生する虞れはない。すなわち、ファンモータカバーは一種のドレンパンとして用いられているだけであって、ユニット本体に対して剛性向上を得る有効利用の考えはない。
【０００７】
本発明は上記事情に着目してなされたものであり、その目的とするところは、主熱交換器と補助熱交換器とから構成される室内熱交換器の支持構造を小型簡素化して前面パネルに対する設計自由度の向上化を図るとともに、後本体に対する剛性向上化を得られる空気調和機の室内ユニットを提供しようとするものである。
【課題を解決するための手段】
【０００８】
上記目的を満足するため本発明においては、ユニット本体として吸込み口および吹出し口を備え前面パネルと後本体とを組合せてなり、室内熱交換器として、ユニット本体内の後本体に配置され、ユニット本体の前面側に位置する前側熱交換器部と背面側に位置する後側熱交換器部とで側面視で略逆Ｖ字状に形成される主熱交換器と主熱交換器表面の一部に沿って設けられる補助熱交換器から構成し、送風機として室内熱交換器における前側熱交換器部と後側熱交換器部との間に覆われるよう配置した横流ファンとファンモータとで構成し、後本体は背面を構成する後板部と、後板のファンモータ配置部分に上端縁から下方へ開口し、上記室内熱交換器から室外ユニット側へ延出する補助配管を挿通するための切欠き部と、後本体後板部に取付け具を介して取付け固定される取付け部および室内熱交換器を構成する主熱交換器に対して補助熱交換器を抱持固定する抱持部を有する熱交換器固定部材と、後本体におけるファンモータ上面に設置され、左右の後部に後板の切欠き部左右近傍部に固定部材を介して取付け固定される取付け部を有し、上面が室内熱交換器の側部に突出するＵベンドや上記補助配管等を配設し、かつこれらＵベンド等から滴下するドレン水を受ける受け部を有する上記ファンモータをカバーするためのファンモータカバーとを有する。
【発明の効果】
【０００９】
本発明は、室内熱交換器の支持構造を小型簡素化して前面パネルに対する設計自由度の向上化を図るとともに、後本体に対する剛性向上化を得られる等の効果を奏する。
【発明を実施するための最良の形態】
【００１０】
以下、図面を参照して本発明の実施の形態に係る空気調和機の室内ユニットについて説明する。  
図１は空気調和機を構成する室内機の概略縦断面図、図２は前面パネル２他を取外した室内機の概略正面図、図３は前面パネル２および室内熱交換器１０他を取外した室内機の概略斜視図である。  
ユニット本体１は前面パネル２と後本体３とから構成されていて、上下方向に対して幅方向が極端に長い横長状をなす。前面パネル２は湾曲して手前側に突出し、左右両側に側面部を備えている。後本体３は横長の矩形状をなし、室内壁面に取付けられる。上記前面パネル２の前面側一部に前部吸込み口４が開口され、ここでは図示しない開閉駆動機構に支持された可動パネル５が嵌め込まれている。運転停止時において、可動パネル５は前面パネル２と同一面となり前部吸込み口４を閉成するが、運転時には図中二点鎖線で示すように、上端部が手前側に突出変位して前部吸込み口４を開放するよう制御される。
【００１１】
前面パネル２の上部に亘って、枠状の桟７が嵌め込まれる上部吸込み口６が設けられる。前面パネル２の下部には、運転条件に応じて姿勢角度を可変し熱交換空気の吹出し方向を設定する、もしくは完全閉成する２枚の水平ルーバ８ａ，８ｂおよびこれら水平ルーバ８ａ，８ｂの奥側に縦ルーバ８ｃを備えた吹出し口９が設けられる。  
ユニット本体１内には、後述する室内熱交換器１０が配置されていて、前部吸込み口４と上部吸込み口６に対向して配置される。室内熱交換器１０と前面パネル２との間にはフィルタ１１が挿脱自在に取付けられる。このフィルタ１１は上記前面パネル２裏面側に形成された図示しないフィルタガイドに沿って案内されるようになっている。
【００１２】
つぎに、上記室内熱交換器１０について説明する。この室内熱交換器１０は前側熱交換器部１０Ａと後側熱交換器部１０Ｂとで略逆Ｖ字状に形成される主熱交換器１００を備えている。上記前側熱交換器部１０Ａは、前面パネル２と間隙を存してほぼ平行な湾曲状に形成され、かつ後側熱交換器部１０Ｂは直状に形成されて上部吸込み口６と斜めに傾斜して対向する。上記前側熱交換器部１０Ａは、前部吸込み口４の全部および上部吸込み口６の一部に対向して配置され、後側熱交換器部１０Ｂは上部吸込み口６の残り一部に対向して配置される。  
また、主熱交換器１００Ａを構成する前側熱交換器部１０Ａの前面上部および後側熱交換器部１０Ｂの上面に沿って、それぞれ補助熱交換器部１０Ｃが設けられ、前側熱交換器部１０Ａの前面下部に沿って過冷却用補助熱交換器部１０Ｄが設けられる。これら補助熱交換器部１０Ｃと過冷却用補助熱交換器部１０Ｄとで補助熱交換器１００Ｂが構成される。すなわち室内熱交換器１０は、主熱交換器１００Ａと補助熱交換器１００Ｂとの組合せてなるものである。
【００１３】
上記前側熱交換器部１０Ａ前面の補助熱交換器部１０Ｃと過冷却用補助熱交換器部１０Ｄの相互間には、空気清浄機１３が着脱自在に取付けられている。この空気清浄機１３は、電気集塵機と防臭フィルタとを並設してなるものである。特に、電気集塵機は流通する空気中の塵埃に電荷を与える荷電側電極と、電荷を与えられた塵埃を引きつけて捕捉する集塵側電極とから構成される。  
そして、電気集塵機は通常の集塵時よりも集塵側電極との電位差が大きくなるように荷電側電極に高い高電圧を印加すると、多くのオゾンが発生するオゾン発生装置となる。このとき、周囲の空気の流れを制限するため送風機１４を停止もしくは極く低速運転することで、オゾンの発生量がより大となる。
【００１４】
上記室内熱交換器１０を構成する主熱交換器１００Ａである前側熱交換器部１０Ａと後側熱交換器部１０Ｂとの相互間であり、前後側熱交換器部１０Ａ，１０Ｂで覆われる位置に送風機１４が配置される。この送風機１４は、ファンモータ１４Ｍと、このファンモータ１４Ｍの回転軸に嵌着される横流ファン１４Ｆとから構成されている。上記横流ファン１４Ｆは、その軸方向長さが主熱交換器１００Ａの幅方向長さと略一致し、かつ正対するように配置される。  
なお説明すると、主熱交換器１００Ａおよび補助熱交換器１００Ｂとも、多数枚のフィンＦを狭小の間隙を存して並設し、これらフィンＦの左右両側端には板厚の厚い端板Ｔが設けられる。そして、これら端板Ｔと全てのフィンＦに複数本の熱交換パイプＰが所定間隔を存して貫通して設けられる。端板Ｔから突出する熱交換パイプＰの端部で、隣接する部位相互にＵベンドＢが嵌め込まれ、かつロー付けなどの手段で密に連結固定される。したがって、熱交換パイプＰとＵベンドＢで１つの冷媒流路が構成される。
【００１５】
すなわち、主熱交換器１００Ａおよび補助熱交換器１００Ｂともに、端板Ｔから熱交換パイプＰの蛇行状曲成部であるＵベンドＢが突出する。そして、これら主、補助熱交換器１０Ａ，１００Ｂ側部に、前後側熱交換器部１０Ａ，１０Ｂ相互もしくは補助熱交換器部相互１０Ｂ〜１０Ｄを連通するためのジャンピングパイプ（図示しない）や、室内熱交換器１０から室外ユニットへ延出する補助配管Ｈ（後述する図１０、図１１に示している）が位置する。  
このような室内熱交換器１０に対して上記送風機１４を構成する横流ファン１４Ｆは、フィンＦおよび両側端板Ｔに亘る長さ寸法と同一の軸方向寸法をなして正対する。したがって、横流ファン１４Ｆを駆動するファンモータ１４Ｍは一方の端板Ｔから側部へ突出するＵベンドＢと、ジャンピングパイプおよび補助配管Ｈの直下方部位に位置することになる。
【００１６】
一方、上記後本体３は、上記後側熱交換器部１０Ｂおよび補助熱交換器部１０Ｃの下端部傾斜に略一致する傾きをなし、これら下端部を囲むようにして後ドレンパン１５を備えている。そして後本体３には、後ドレンパン１５から送風機１４の背面側に沿って曲成され、吹出し口９に至る後側送風路壁１６Ａが形成される。さらに後本体３は、前側熱交換器部１０Ａと過冷却用補助熱交換器部１０Ｄの下端部に略一致する傾きをなし、これら下端部を囲むようにして前ドレンパン１７を備えている。  
上記前側熱交換器部１０Ａの下端部は前ドレンパン１７上に載り、後側熱交換器部１０Ｂの下端部は後ドレンパン１５上に載って、それぞれの熱交換器部１０Ａ，１０Ｂから滴下するドレン水を受け、図示しない排水ホースを介して外部に排水できるようになっている。後本体３における前ドレンパン１７の送風機１５前面側にノーズ１８が設けられ、ノーズ１８から吹出し口９に至る前側送風路壁１６Ｂが形成される。この前側送風路壁１６Ｂと上記後側送風路壁１６Ａとで、上記送風機１４から吹出し口９に連通する送風路１６が形成される。
【００１７】
上記後本体３で、かつ送風機１４を構成するファンモータ１４Ｍの背面側部位に対向する後板部３ａ上部には、上端部が開口しその上端縁から所定深さで切欠される切欠き部１９が設けられる。この切欠き部１９には、上述した室内熱交換器１０から室外ユニットへ延出する補助配管Ｈ（図１０および図１１に示している）を挿通させるために設けられる。すなわち、切欠き部１９を設けずに後本体３の上端縁を乗り越える状態で補助配管Ｈを延出させると、ユニット本体１上面部から補助配管Ｈが上方へ突出することになり、ユニット本体１と天井面との間に余分なスペースが必要となってしまう。  
上記送風機ファンモータ１４Ｍの側部で、かつ後本体３の上記切欠き部９から側板部に亘る空間スペースには、電気部品組立２０が配置されている。この電気部品組立２０は、背面側に各種の制御用電気部品を収納する電気部品箱が配置され、この電気部品箱の前面に各種の表示灯を備えた表示ユニットが取付けられてなる。
【００１８】
このようにして構成される空気調和機の室内ユニットであり、リモコンの運転スイッチをオンに切換えると、前面パネル２に設けられる開閉駆動機構が作動して、可動パネル５が下端を枢支部として上端部が手前側に回動され、前部吸込み口４が開放される。同時に送風機１４が駆動されるとともに、冷凍サイクル運転が開始される。室内空気は、上部吸込み口６と前部吸込み口４からユニット本体１内に導かれ、エアーフィルタ１１を通過して室内空気に含まれる塵埃が捕捉される。  
さらに、上記空気清浄機１３が作用して、エアーフィルタ１１で捕捉されなかった微細な塵埃を完全に捕捉し、かつ防臭機能を得る。したがって、清浄化した空気が熱交換器９に導かれ、主熱交換器１００Ａと補助熱交換器１００Ｂを通過して熱交換作用が行われる。熱交換した空気は、送風路１６に沿って導かれ、吹出し口９から縦ルーバ８ｃと水平ルーバ８ａ，８ｂに案内されて室内へ吹出され、効率のよい空気調和運転がなされる。  
空調運転を終了させるためリモコンの運転スイッチをオフにすると、圧縮機と送風機１４および空気清浄機１３の運転が停止し、かつ開閉駆動機構は可動パネル５を回動変位させて前部吸込み口４を閉成する。
【００１９】
つぎに、後本体３の構成と、この後本体３に対する室内熱交換器１０および送風機１４の取付け構造について詳述する。  
図４は後本体３を分解し、かつ後本体３に対する取付けられる構成部品を分解して示す図である。図１および図４に示すように、後本体３は、後板部３ａと上記後ドレンパン１５と後側送風路壁１６Ａ上側部分を一体に備えた上後本体部５Ａと、上記前ドレンパン１７と前側送風路壁１６Ｂと後側送風路壁１６Ａ下側部分を一体に備えた下後本体部５Ｂとの分割体である。
【００２０】
そして、上後本体部５Ａの後側送風路壁１６Ａ辺部には左右に一対の係合用突起片ａが突設され、これら係合用突起辺ａと対向する下後本体部５Ｂの後側送風路壁１６Ａ辺部には一対の係合用嵌合凹部ｂが形成されている。上記上後本体部５Ａと下後本体部５Ｂを結合する際、これらの係合部ａと嵌合凹部ｂを重ね合せて係合することで、連続した後側送風路壁１６Ａが構成できる。  
上後本体部５Ａの両側部には、前ドレンパン１７と後ドレンパン１５とを連通する案内樋部２２Ａ，２２Ｂが設けられていて、後ドレンパン１５で受けたドレン水を上記案内樋部２２Ａ，２２Ｂを介して前ドレンパン１７に導ける。図中右側の案内樋部２２Ａ上端縁が略半円状に形成される半円部で、上記送風機１４を構成するファンモータ１４Ｍの回転軸を受ける。すなわち、右側案内樋部２２Ａの右側空間に上記ファンモータ１４Ｍが配置され、横流ファン１４Ｆは左右の案内樋部２２Ａ，２２Ｂと前後ドレンパン１７，１５に囲れる。
【００２１】
実際には、上記ファンモータ１４Ｍには予めファンモータバンド２５が取付けられていて、このファンモータバンド２５の径方向に突出する取付け座２５ａ，２５ｂが取付けねじを介して後本体部３に取付けられることにより、上記ファンモータ１４Ｍの位置が定まり、かつ配置される。さらに、ファンモータ１４Ｍを取付けたファンモータバンド２５の上から後述するファンモータカバー３０が取付けられ、そのあと室内熱交換器１０が取付けられる。  
また、図中左側の案内樋部２２Ｂのさらに左側の空間スペースに換気ユニット３２が取付けられている。この換気ユニット３２は、上記横流ファン１４Ｆの一方の支軸を受ける軸受け部を有するとともに、図示しないダンパと、ダンパ駆動機構および送風機構を備えている。そして、切換信号に応じてダンパが切換制御され、室内空気をユニット本体１内部に導通させてユニット本体１と構成部品を乾燥したり、室内空気を外部に排出するいわゆる換気扇機能を有する。
【００２２】
図５はファンモータカバー３０を後本体３の後板部３ａに取付けた状態の斜視図である。すなわち、送風機１４を構成するファンモータ１４Ｍに上記ファンモータバンド２５を取付けたうえで、先に説明した案内樋部２２Ａ側部位置の後本体３部位に取付けられる。したがって、上記ファンモータバンド２５の上から上記ファンモータカバー３０が取付けられることになる。  
ファンモータカバー３０は、後本体３に設けられる切欠き部１９の一側部近傍部位に取付け具ｄを介して取付け固定される後側取付け部３２と、前ドレンパン１７の側部に取付け具を介して取付けられる前側取付け部（図示しない）を備えている。これら後側取付け部３２と前側取付け部との間には、上記ファンモータバンド２５を介してファンモータ１４Ｍをカバーするカバー部３３ａが設けられる。このカバー部３３ａの両側縁に沿って一体に立上り形成される壁部３３ｂ、３３ｃがあって、これら壁部３３ｂ、３３ｃとカバー部３３ａ上面とで受け部３４が形成される。
【００２３】
つぎに、室内熱交換器１０の支持構造について説明する。図６は室内熱交換器１０の側面図、図７は固定部材である固定金具３５の斜視図、図８は補助熱交換器１００Ｂの主熱交換器１００Ａに対する取付け構造図である。  
はじめに図７の固定金具３５から説明すると、これは所定の板厚で、ある程度の幅寸法を持った金属板体をプレス加工などにより折曲形成したものである。その一側部の側縁に取付け用孔３６ａが設けられる取付け座３６が一体に折曲形成される。この取付け座３６とは間隔を存して突片部３７が取付け座３６と同一方向に折曲形成される。  
固定金具３５は、突片部３７から先の部分で折り返し折曲され、取付け座３６を有する片部とは所定の長さで平行な片部を有する。そして、この平行片部の端縁では略直角方向に折曲され、取付け用孔３８ａを有する取付け部３８が設けられる。取付け座３６を有する片部と、この片部から折り返し折曲される平行片部とで抱持部３９が形成される。
【００２４】
図８に示すように、補助熱交換器１００Ｂ（正確には補助熱交換器部１０Ｃであるが説明の都合上統一する）の下端部に上記固定金具３５の抱持部３９を介挿する。この状態で、補助熱交換器１００Ｂの下面側に取付け座３６および突片部３７が突出し、上面側に取付け部３８が突出する。そして、補助熱交換器１００Ｂと固定金具３５を主熱交換器１００Ａ（正確には後側熱交換器部１０Ｂであるが説明の都合上統一する）上端に沿わせ、かつ固定金具３５の取付け座３６および突片部３７を主熱交換器１００Ａの側端面に当接する。  
固定金具３５の取付け座３６と突片部３７は主熱交換器１００Ａを構成する端板Ｔに密着する。端板Ｔの所定部位にはねじ孔が設けられていて、取付け座３６の取付け用孔３６ａをねじ孔に位置合せし取付け具である取付けねじｄを螺挿して固定金具３５の取付け座３６を主熱交換器１００Ａに取付け固定する。この状態を図６に示している。補助熱交換器１００Ｂは固定金具３５の抱持部３９で抱持固定されていて、主熱交換器１００Ａに対する補助熱交換器１００Ｂの位置合せと固定が正確になされる。
【００２５】
図９は室内熱交換器１０を後本体３に取付けする前の状態を説明する図、図１０は室内熱交換器１０を取付けた状態を示す図、図１１はファンモータカバー３０の前面を覆う遮蔽板３１と室内熱交換器１０一部を示す図である。  
図９に示すようにファンモータカバー３０を後本体３に取付けたあと、固定金具３５で補助熱交換器１００Ｂを抱持固定した主熱交換器１００Ａを後本体３に取付ける。後本体３の背面部の後板部３ａに設けられる上記切欠き部１９の一側部近傍にはすでに、ファンモータカバー３０の後側取付け部３２が取付けられている。
【００２６】
また、後本体３の後板部３ａにおける切欠き部１９の他側部近傍部位にはねじ孔４０ａを有する受け座４０が一体に設けられていて、ここに固定金具３５の取付け部３８を載せて取付け用孔３８ａをねじ孔４０ａに対向させ、しかるのち取付け具である取付けねじを螺挿して固定金具３５を後本体３に取付け固定する。この状態で主熱交換器１００Ａの端板Ｔがファンモータカバー３０の受け部３４を構成する内側の立上り壁部３３ｃ上に載り、かつ補助熱交換器１００Ｂを抱持固定する状態の主熱交換器１００Ａが固定金具３５を介して後本体３に取付け固定されることになる。  
図１０に示すように、後本体３に取付けられ状態の室内熱交換器１０はファンモータカバー３０の受け部３４に対して、室内熱交換器１０の側部に突出するＵベンドＢや補助配管Ｈあるいはジャンピングパイプ等が収納される。特に、補助配管Ｈは切欠き部１９に挿通され、室外ユニットへ延出されることは上述したとおりである。
【００２７】
このようにして室内熱交換器１０の側端部が後本体３に取付け固定される。固定金具３５は室内熱交換器１０の前面側に突出することなく、小型ですむ。コスト的に良影響を与えるとともに、前面パネル２の設計自由度が増し、前面パネル２が与える圧迫感の軽減化を得られる。そして固定金具３５は、主熱交換器１００Ａに対して補助熱交換器１００Ｂを抱持固定でき、位置決め精度の向上と位置決め強度の増大を図れる。  
室内熱交換器１０の側部に突出するＵベンドＢ、補助配管Ｈ、ジャンピングパイプ等がファンモータカバー３０の受け部３４に収容されるので、これらＵベンドＢ等から滴下するドレン水が受け部３４に受けられ、送風機ファンモータ１４Ｍが濡れることがない。
【００２８】
後本体３に補助配管１００Ｂが挿通する切欠き部１９を設けたので、後本体３の強度が低下して補強が必要となる。上述の構成を実施すれば、切欠き部１９の一側部近傍にファンモータカバー３０の取付け部３２を取付け固定し、他側部近傍に固定金具３５の取付け部３８を取付け固定したので、両部材３０，３５の取付けと後本体３の後板部３ａの補強を兼用できる。  
図１１に示すように、室内熱交換器３の側部から突出するＵベンドＢ等の前面部に位置して遮蔽板３１が取付けられる。この遮蔽板３１はＵベンドＢ等をカバーする板体であるとともに、上記可動パネル５を駆動する開閉駆動機構の一部が取付けられる。
【００２９】
なお、上記実施例においては主熱交換器端板Ｔがファンモータカバー３０の受け部３４を構成する内側の立上り壁３３ｃに載って、固定金具３５を介して後本体３に取付けられるようにしたが、主熱交換器１００Ａを構成する前後側熱交換器１０Ａ，１０Ｂの相対的な折曲角度に受け部３４の立上り壁形状を合致させることが困難視される。  
すなわち、前後側熱交換器１０Ａ，１０Ｂの相対的な折曲角度の成形誤差と、ファンモータカバー３０の取付け誤差と、補助熱交換器１００Ｂを抱持し、かつ主熱交換器１００Ａに取付けられる固定金具３５の取付け誤差および、固定金具３５の後本体３に対する取付け誤差の累計が、前後側熱交換器１０Ａ，１０Ｂの折曲角度と受け部３４立上り壁との隙間になって現れる。ここに隙間が存在すると、完全に熱交換されない生空気が導通するところとなり熱交換効率に悪影響を及ぼすとともに、導通部分に露付きが生じる虞れがある。そのため、上述の誤差の累計があっても隙間の発生を阻止する必要がある。
【００３０】
図１２はカバー部材５０を取付けた室内熱交換器１０の側面図、図１３は室内熱交換器１０とカバー部材５０の取付け構造を示す斜視図である。  
カバー部材５０は、主熱交換器１００Ａを構成する前側熱交換器部１０Ａと後側熱交換器部１０Ｂとの互いの連結部分に沿うように屈曲形成され、これら前後側熱交換器部１０Ａ，１０Ｂのそれぞれの端板Ｔに取付けねじｄを介して取付け固定される熱交換器取付け部５１を備えるとともに、上記ファンモータカバー３０と主熱交換器１００Ａとの間に形成される隙間を覆う隙間カバー部５２を有する。  
すなわち、カバー部材５０の熱交換器取付け部５１を基準にして前後側熱交換器部１０Ａ，１０Ｂの折曲角度を調整し、取付け固定するようにしたので、前後側熱交換器部１０Ａ，１０Ｂの折曲角度の誤差を吸収して、後本体３に対する取付け精度の向上を図れる。また、カバー部材５０の隙間カバー部５２がファンモータカバー３０と主熱交換器１００Ａとの間を完全に覆って隙間を無くすので、生空気の導通がなく、熱交換効率の向上と露付きの防止を得られる。
【図面の簡単な説明】
【００３１】
【図１】本発明における実施形態を示す、空気調和機を構成する室内機の概略断面図。
【図２】同実施の形態に係る、前面パネルを取外した室内機の概略正面図。
【図３】同実施の形態に係る、前面パネルと室内熱交換器を取外した室内機の概略斜視図。
【図４】同実施の形態に係る、室内機要部の分解した斜視図。
【図５】同実施の形態に係る、後本体に対するファンモータカバーの取付け構造を説明する斜視図。
【図６】同実施の形態に係る、固定金具を取付けた室内熱交換器の側面図。
【図７】同実施の形態に係る、固定金具の斜視図。
【図８】同実施の形態に係る、固定金具の主熱交換器に対する取付け構造を説明する斜視図。
【図９】同実施の形態に係る、室内熱交換器を取付けする前の状態を説明する斜視図。
【図１０】同実施の形態に係る、取付けられた室内熱交換器一部の斜視図。
【図１１】同実施の形態に係る、室内熱交換器に対するモータベースの取付け構造を説明する斜視図。
【図１２】同実施の形態の変形例に係る、カバー部材を取付けた室内熱交換器の側面図。
【図１３】同変形例に係る、取付けられた室内熱交換器の一部斜視図。
【符号の説明】
【００３２】
４…前部吸込み口、２…前面パネル、９…吹出し口、３…後本体、３ａ…後板部、１…ユニット本体、１０Ａ…前側熱交換器部、１０Ｂ…後側熱交換器部、１００Ａ…主熱交換器、１００Ｂ…補助熱交換器、１０…室内熱交換器、１４Ｆ…横流ファン、１４Ｍ…ファンモータ、１４…送風機、Ｈ…補助配管、１９…切欠き部、３８…取付け部、３９…抱持部、３５…固定金具（固定部材）、３２…取付け部、３３…カバー部、Ｂ…Ｕベンド、３４…受け部、３０…ファンモータカバー、５１…熱交換器取付け部、５２…隙間カバー部、５０…カバー部材。
【図１】
2005188831.tif 000003
【図２】
2005188831.tif 000004
【図３】
2005188831.tif 000005
【図４】
2005188831.tif 000006
【図５】
2005188831.tif 000007
【図６】
2005188831.tif 000008
【図７】
2005188831.tif 000009
【図８】
2005188831.tif 000010
【図９】
2005188831.tif 000011
【図１０】
2005188831.tif 000012
【図１１】
2005188831.tif 000013
【図１２】
2005188831.tif 000014
【図１３】
2005188831.tif 000015